(57)【要約】      （修正有）【課題】  カップインしたパークゴルフボールを立った状態で膝を曲げ大きく腰をかがめることなしに拾うことができ、またボールホルダーとして携帯が容易であり、手軽に使用でき、さらにプレーすることに全く支障を生じないパークゴルフボールの捕捉具を提供する。【解決手段】  Ｕ字型金具１の外側片面にパークゴルフボール１１をつかむための複数本の爪２を固定し、他の外側面にはパークゴルフクラブと結合するためのガイド金具４を取り付けてボールホルダー５とする。パークゴルフクラブ９のグリップ８の頂部には受け金具６を取り付ける。ボールホルダーのガイド金具とパークゴルフクラブグリップの受け金具を結合することによりパークゴルフボール捕捉具にする。ガイド金具と該受け金具の結合はマグネットの磁力７を利用する。【選択図】図１
0003124593.tif 000002
【実用新案登録請求の範囲】
【請求項１】
Ｕ字型金具の外側片面にパークゴルフボールをつかむための爪郡が固定され、他の外側面にはクラブグリップと結合するためガイド金具が設けられているボールホルダーと、クラブグリップの頂部に受け金具を取り付けたパークゴルフクラブからなり、該ガイド金具と該受け金具とを結合することにより構成されるパークゴルフボール捕捉具
【請求項２】
ガイド金具と受け金具の結合が磁気的に行われるものである請求項１に記載のパークゴルフボール捕捉具。
【請求項３】
ガイド金具がリング状である請求項１に記載のパークゴルフボール捕捉具
【考案の詳細な説明】
【技術分野】
【０００１】  本考案はカップインしたカップ中のパークゴルフボールを膝を曲げ中腰にならず立った状態で腰を深く曲げることなく拾うことのできるパークゴルフボールの捕捉具に関するものである。
【背景技術】
【０００２】  近年パークゴルフが性別、年齢にかかわりなく広範囲の人に健康的なスポーツとして親しまれている。パークゴルフは過激な運動量を要しないことから、高齢者や身体に障害を持つ人などにも気軽に楽しめる人気のあるスポーツである。しかしながら、足、腰の弱い人や身体に障害を持つ人の場合には立った状態でプレーする場合に不都合はないものの、カップインしたパークゴルフボールを拾い上げる際に膝を曲げ腰をかがめることに苦痛を伴う不都合がある。
また、雨水など溜まったカップの中から水で濡れたボールをカップから拾い上げる場合、ゴルフグローブを脱いだり、はいたりするのがわずらわしかった。【０００３】  従来パークゴルフボールを拾い上げる用具として、例えば線状の連続する爪を二股にした用具をパークゴルフクラブのグリップ先端部に取り付けるようにした捕捉具（実用新案登録文献１）が提案されている。
また、ゴム製のカバーでクラブグリップにかぶせて固定し、ゴム製の吸盤でパークゴルフボールを拾い上げるようにした捕捉具がマルシン産業から商品名ラクラクキャッチで販売されている。【０００４】  しかしながら、実用新案登録文献１の方法では、パークゴルフクラブによってグリップ部の形状、大きさが異なるためにすべてのクラブには対応できない不都合がある。
一方、ラクラクキャッチの場合は、ゴム製のカバーがクラブグリップに固定されるため常にパークゴルフクラブに固定した状態で使用される。したがってパークゴルフクラブ使用時には邪魔になるほか、違和感を生じ、微妙なコントロールができなくなるという不都合があった。また、取り外した場合には再度の装着が簡単にできない不都合がある。
【実用新案登録文献１】
実用新案登録第３０９８７３４号  公報
【考案の開示】
【考案が解決しようとする課題】
【０００５】  パークゴルフは高齢者や、膝、腰の弱い人、軽度の病弱者、身体に障害を持つ人などでも楽しめるスポーツである。しかし、これらの人にとってカップインしたパークゴルフボールを拾い上げることに苦労している。また、健康な人であっても疲れた時には膝を曲げ腰をかがめることが苦痛を伴うことがある。
これらのことから、カップインしたパークゴルフボールを立った状態で大きく腰をかがめることなしに拾うことができ、ボールホルダーとして携帯が容易であり、手軽に使用でき、さらにプレーすることに全く支障を生じないパークゴルフボール捕捉具の開発が望まれていた。
【課題を解決するための手段】
【０００６】  本考案者は、上記課題を解決する手段として下記の考案を行った。
第１の考案は、Ｕ字型金具の外側片面にパークゴルフボールをつかむための爪郡が固定され、他の外側面にはクラブグリップと結合するためガイド金具が設けられているボールホルダーと、クラブグリップの頂部に受け金具を取り付けたパークゴルフクラブからなり、該ガイド金具と該受け金具とを結合することにより構成されるパークゴルフボール捕捉具である。【０００７】  第２の考案は、ガイド金具と受け金具の結合が磁気的に行われるものである第１の考案に記載のパークゴルフボール捕捉具である。
さらに第３の考案は、ガイド金具がリング状である第１の考案に記載のパークゴルフボール捕捉具である。【０００８】  すなわち第１の考案は、図１に示すように、Ｕ字型金具の外側片面にパークゴルフボールをつかむための弾性を有する複数本の爪からなる爪郡が固定されており、該ボールホルダーの他の外側面にはパークゴルフクラブのグリップの頂部と結合するためのガイド金具が設けられたボールホルダーと、受け金具をグリップ頂部に取り付けたパークゴルフクラブとを、ガイド金具と受け金具とで結合することにより得られる、パークゴルフボール捕捉具である。【０００９】  また第２の考案は、ボールホルダーのガイド金具と、パークゴルフクラブのグリップ頂部に取り付けた受け金具の接続を、ガイド金具に装着されたマグネット、または受け金具に装着されたマグネット、若しくはガイド金具と受け金具の両方に装着されたマグネットにより磁気的に行うものである。【００１０】  第３の考案は、ボールホルダーのガイド金具と、クラブのグリップ頂部に取り付けた受け金具の接続部形状をリング状にすることにより、接続時に自由な角度で接続可能としたものである。【００１１】  カップ中のパークゴルフボールを拾い上げる際は、本考案のボールホルダーとパークゴルフクラブとを結合させた状態で、爪の先端部をパークゴルフボールの上に置き、押し下げることにより爪がパークゴルフボールの外周に沿って開きパークゴルフボールを爪の湾曲部分で捕捉することができる。
また、パークゴルフボールを拾い上げた後は、ボールを補足したままの状態でボールホルダーをパークゴルフクラブから引き離し、腰バンドあるいは腰ポシエットなどにＵ字型金具ではさみ込み持ち歩くことができる。
このようにすることにより、プレーヤーは膝を曲げ腰をかがめることなしにパークゴルフボールを拾い上げることができ、さらにパークゴルフボールを手でじかに持つことなしに次のティーショットグラウンドへ持って行くことができる。【００１２】  また、ガイド金具と受け金具の接続は、ガイド金具と受け金具のどちらかにマグネットを組み込むか、若しくは両者にマグネットを組み込むことにより、磁気的に結合させる方法である。このようにすることにより簡便に、しかも大きな力を要せずにボールホルダーとパークゴルフクラブを結合あるは引き離しすることができる。【００１３】  さらに、ガイド金具と受け金具の接続は平面で結合する構造としても良いが、安定した結合状態を得るためにガイド金具と受け金具が円形ではめ合うように構成することが好ましい。
このようにすることによって、ボールホルダーとパークゴルフクラブの結合を任意の角度で行うことができる。
【考案の効果】
【００１４】  本考案のパークゴルフボール捕捉具は、必要時にボールホルダーとパークゴルフクラブを結合させて構成するものであり、またボールホルダーとしても携帯が容易である。さらに、カップインしたパークゴルフボールを膝を曲げ大きく腰をかがめることなしに立った状態でボールを拾うことができる。このため、足腰の弱い人、身体に傷害を持つ人、高齢者なども苦痛を伴うことなしにパークゴルフボールを拾うことができ、気軽にパークゴルフを楽しむことができる。
このほか、カップ中で冷たい水に浸っているパークゴルフボールの場合でも、手で直に触ることなしに拾うことができることから、寒冷時には特に有用である。【００１５】  また、拾い上げたパークゴルフボールはボールホルダーに捕捉した状態のままで腰バンド及びポシエットなどにはさみ込んでスコアカードに記帳し、次のティーショットグランドへ移行することができ、ホールを手で直に持ち運びするわずらわしさを解消することができる。
さらにパークゴルフクラブに取り付ける受け金具はパークゴルフクラブのグリップ形状にかかわりなく取り付けられる小型のものであるため、プレイ中になんらの支障を生じないこと、及びボールホルダーとパークゴルフクラブを磁力で、かつ任意の角度で結合することができることから、いずれのパークゴルフクラブでも違和感を生じることなしにパークゴルフボール捕捉具として構成することができる。
【考案を実施するための最良の形態】
【００１６】  以下に本考案のパークゴルフボール捕捉具の実施形態を詳細に説明する。
本考案に於ける弾性を有する爪の形状は、図１に示すようにＳ字状に外周側に反り返った形状、あるいは半切カップ状物あるいはバタフライ状とすることもでき、パークゴルフボールの補足を容易にする形状であればよく、特に形状に限定はない。また爪の本数は爪の形状によって異なり、例えば図１のＳ字状に外周側に反り返った形状の場合は少なくとも３本、通常は３〜５本とされる。またその湾曲形状はボールの捕捉を容易にするために爪の先端部に丸みを持たせるか、若しくは丸くすることにより、ボールを捕捉する際にボールの外周に沿って容易に開き捕捉することができる。【００１７】  また爪の材質としては、金属、合成樹脂、あるいは金属と合成樹脂の複合素材で構成することもできる。【００１８】  Ｕ字型金具は腰バンドあるいはポシエットにはさみ込みできるようにＵ字型形状あるいは長さの異なる変形Ｕ字型形状とされる。
Ｕ字型金具の材質は金属、合成樹脂、あるいは金属と合成樹脂の複合素材で構成することもできる。
Ｕ字型金具と爪の接合部は爪が同心円状に広がった状態で固定されても良く、爪を結束した状態で固定しても良く、要はパークゴルフボールをつかみやすいように爪の構造と接合部を考慮して配置すればよい。【００１９】  ガイド金具は、ボールホルダーとパークゴルフクラブとを、パークゴルフクラブのグリップ頂部に取り付けられた受け金具とを結合することにより一時的に固定するためのものであり、両者をクリックストップ形式のはめ合わせとしても良く、ネジ込み方式とすることもできる。
さらには、両者をマグネットの吸着力で結合することもできる。マグネットを用いる場合は、磁力を適切な強さに設定することにより結合、取り外しが容易でありきわめて便利である。【００２０】  マグネットを用いる場合は、ガイド金具のみにマグネットを組み込む方法、受け金具のみにマグネットを組み込む方法、あるいはガイド金具と受け金具の両方にマグネットを組み込む方法とすることもできる。【００２１】  ガイド金具及び受け金具の材質は、両者の組み合わせ方式により金属、合成樹脂、あるいは金属と合成樹脂の複合素材で構成することもできるが、マグネットの吸着力を利用する場合は両者を感磁性の金属とすることが好ましい。【００２２】  本考案においてガイド金具とは図１の４で示すようにＵ字型金具１に固定された接続金具を言い、受け金具とは図１の６で示すようにクラブグリップ８の頂部に取り付けられる接続金具を言うものである。また受け金具４は図３に示すようにクラブグリップ８に埋め込んでもよい。さらにガイド金具と受け金具の両者をリング状にして、どちらかが相手側にかぶさる形式にすると、結合時の角度を自由に行うことがでるので好都合である。【００２３】  また、受け金具は図１に示すようにパークゴルフクラブのグリップ頂部に取り付けられるものであり、グリップ頂部に接着固定、グリップ頂部の穴を利用した固定、また、グリップ頂部に埋め込む図３の方法などで固定される。
例えば交換用グリップとして図３のようにあらかじめ受け金具を組み込んだ物を既存のグリップと付け替えることによっても本考案を実施することができる。【００２４】  パークゴルフボール捕捉具をこのように構成することによって、ボールホルダーとして携帯が容易であり、手軽にカップインしたパークゴルフボールを膝を曲げ大きく腰をかがめることなしに立った状態で拾うことができる。
また、拾い上げたパークゴルフボールはボールホルダーに捕捉した状態のままで腰バンドやポシエットなどにはさみ込んでスコアを記帳し次のテーショットへ移行することができる。
【実施例】
【００２５】  実施例１
図１に示すように、Ｕ字型金具の片面に金属製バネ材を用い湾曲径が約６０ｍｍの４本の爪を固定した。また他の片面にマグネット内臓のリング状ガイド金具を固定してボールホルダーを作成した。また、パークゴルフクラブのグリップの頂部に受け金具を取り付けた。ボールホルダーのガイド金具をパークゴルフクラブの受け金具に挿入すると磁力で結合された。このパークゴルフボール捕捉具の爪先部分をカップ中のパークゴルフボールに乗せ押し下げてボールを拾い上げた。次にボールを保持したままでボールホルダーをパークゴルフクラブから引き離し、腰に着けたポシエットにＵ字型金具をはさみ込んでスコアを記帳し、次のティショットグラウンドまで移動した。
ティショットグラウンドではボールホルダーからパークゴルフボールを取りだし、ティショットを行った。このようにしてパークゴルフを続行したが、この間膝を曲げ深く腰をかがめることなしにボールを拾うことができ、冷たく濡れたボールを手に持って移動することがなかったので快適にパークゴルフを楽しむことができた。
【図面の簡単な説明】
【００２６】
【図１】  パークゴルフボール捕捉具の構成側面図の例１である。
【図２】  パークゴルフボールを捕捉している状態を示す図である。
【図３】  パークゴルフボール捕捉具の構成側面図の例２である。
【符号の説明】
【００２７】      １  Ｕ字型金具
２  爪
３  爪の先端部
４  ガイド金具
５  ボールホルダー
６  受け金具
７  マグネット
８  グリップ
９  パークゴルフクラブ
１０  パークゴルフクラブのシャフト部分
１１  パークゴルフボール
【図１】
0003124593.tif 000003
【図２】
0003124593.tif 000004
【図３】
0003124593.tif 000005